(57)【要約】【課題】  カップ部の容量に対して大きな乳房や厚いパッドが入る場合であっても、不自然なシルエットにすることなく、脇寄せやバストの谷間造形を実現できる、バストの造形性に優れたカップ部を有する衣類を提供することを目的とする。【解決手段】  本発明のカップ部を有する衣類は、一対のカップ部１０１、土台部１０２およびバック部１０３を備え、土台部１０２は保形部材１０５を有し、かつ、一対のカップ部１０１の下縁部から脇側縁部の範囲の外周に設けられ、バック部１０３は土台部１０２の脇側に取り付けられ、土台部１０２下縁において一対のカップ部１０１の各々の最下点直下となる点を通る直線を基準線Ｌとしたとき、土台部１０２の脇側端の下縁端Ｂから、土台部１０２の脇側端の下縁端Ｂとバック部１０３の後側端の下縁端との中点Ｃまでの間の領域において、バック部１０３の下縁端部が、基準線Ｌの下方１０ｍｍから２５ｍｍの範囲内となるように配置されていることを特徴とする。【選択図】  図１
2020169409.tif 000002
【特許請求の範囲】
【請求項１】
カップ部を有する衣類であって、
一対のカップ部、土台部およびバック部を備え、
前記土台部は、保形部材を有し、かつ、前記一対のカップ部の下縁部から脇側縁部の範囲の外周に設けられ、
前記バック部は、前記土台部の脇側に取り付けられ、
前記土台部下縁において前記一対のカップ部の各々の最下点直下となる点を通る直線を基準線としたとき、
前記土台部の脇側端の下縁端から、前記土台部の脇側端の下縁端と前記バック部の後側端の下縁端との中点までの間の領域において、前記バック部の下縁端部が、前記基準線の下方１０ｍｍから２５ｍｍの範囲内となるように配置されていることを特徴とするカップ部を有する衣類。
【請求項２】
前記土台部において、前記保形部材は、前記一対のカップ部の最下点の位置よりも脇側部分に設けられていることを特徴とする請求項１記載のカップ部を有する衣類。
【請求項３】
前記土台部の脇側に、可撓性を有するボーン部材が上下方向に設けられていることを特徴とする、請求項１または２記載のカップ部を有する衣類。
【請求項４】
前記一対のカップ部において、バストトップ点と下縁部との間の領域の少なくとも一部に、他の部分よりも厚くなっている造形領域を有していることを特徴とする、請求項１から３のいずれか一項に記載のカップ部を有する衣類。
【請求項５】
前記一対のカップ部において、バストトップ点と下縁部との間の前記造形領域の少なくとも一部が、下縁部および脇側縁部によって形成される面から突出する厚みを有していることを特徴とする、請求項１から４のいずれか一項に記載のカップ部を有する衣類。
【発明の詳細な説明】
【技術分野】
【０００１】
本発明は、カップ部を有する衣類に関する。
【背景技術】
【０００２】
従来、カップ部を有する衣類、例えば、ブラジャーでは、バストを造形するための方法として、パッドを用いてバストのボリュームを出す方法や、いわゆるモールドタイプのカップやパッド（以下カップ部という）において、カップ部の厚みや剛性を調整する方法が提案されてきた（例えば、特許文献１および２参照）。また、当て布とボーンとの作用によりカップ自体に双方の乳房を中央へ寄せる機能を付与することを目的として、カップ部の各裏面外側部にそれぞれ当て布を添わせ、その当て布を各カップ部の下縁を上縁とに縫合すると共に、各当て布の内側辺にカップサイドボーンを一体化させるブラジャーが提案されている（例えば、特許文献３参照）。
【先行技術文献】
【特許文献】
【０００３】
【特許文献１】特開平９−７８３１１号公報
【特許文献２】特開２００５−１３９５７２号公報
【特許文献３】特開平９−１８８９０２号公報
【発明の概要】
【発明が解決しようとする課題】
【０００４】
しかし、バストのボリュームを出すために、単にパッド等を付加しても、ブラジャー等が浮き上がってしまい却って不自然な外観となったり、パッドがバストの重みに負け、着用時にブラジャー等がパッドの厚みの分だけ本来のバストの付き位置より下に付いてしまうことがある。また、カップ部の外側部（脇側）に当て布やボーンを付加した場合も、脇をすっきり見せる効果はあるが、バストの脇側が平面的なシルエットになる等、造形性は十分なものとはいえなかった。
【０００５】
本発明は、カップ部の容量に対して大きな乳房や厚いパッドが入る場合であっても、不自然なシルエットにすることなく、脇寄せやバストの谷間造形を実現できる、バストの造形性に優れたカップ部を有する衣類を提供することを目的とする。
【課題を解決するための手段】
【０００６】
前記目的を達成するために、本発明のカップ部を有する衣類は、
カップ部を有する衣類であって、
一対のカップ部、土台部およびバック部を備え、
前記土台部は、保形部材を有し、かつ、前記一対のカップ部の下縁部から脇側縁部の範囲の外周に設けられ、
前記バック部は、前記土台部の脇側に取り付けられ、
前記土台部下縁において前記一対のカップ部の各々の最下点直下となる点を通る直線を基準線としたとき、
前記土台部の脇側端の下縁端から、前記土台部の脇側端の下縁端と前記バック部の後側端の下縁端との中点までの間の領域において、前記バック部の下縁端部が、前記基準線の下方１０ｍｍから２５ｍｍの範囲内となるように配置されていることを特徴とする。
【発明の効果】
【０００７】
本発明のカップ部を有する衣類によれば、カップ部の容量に対して大きな乳房や厚いパッドが入る場合であっても、不自然なシルエットにすることなく、脇寄せやバストの谷間造形を実現できる、優れたバストの造形性を得ることができる。
【図面の簡単な説明】
【０００８】
【図１】図１（ａ）は、本発明のカップ部を有する衣類の一例である、第１の実施形態に係るブラジャーの平面図である。図１（ｂ）は、前記第１の実施形態に係るブラジャーの着用側面図である。
【図２】図２（ａ）は、従来の一般的なブラジャーの一例の平面図である。図２（ｂ）は、前記ブラジャーの着用側面図である。
【図３】図３は、第１の実施形態に係るブラジャーを着用した時の状態を説明する図である。
【図４】図４は、カップ部の、図１のＸ−Ｘ´の位置における断面を示す図である。
【図５】図５は、本発明における保形部材の評価方法を説明する概略図である。
【発明を実施するための形態】
【０００９】
本発明のカップ部を有する衣類は、前記土台部において、前記保形部材は、前記一対のカップ部の最下点の位置よりも脇側部分に設けられていることが好ましい。
【００１０】
本発明のカップ部を有する衣類において、前記土台部の脇側に、可撓性を有するボーン部材が上下方向に設けられていることが好ましい。
【００１１】
本発明のカップ部を有する衣類は、前記一対のカップ部において、バストトップ点と下縁部との間の領域の少なくとも一部に、他の部分よりも厚くなっている造形領域を有していることが好ましい。
【００１２】
本発明のカップ部を有する衣類は、前記一対のカップ部において、バストトップ点と下縁部との間の前記造形領域の少なくとも一部が、下縁部および脇側縁部によって形成される面から突出する厚みを有していることが好ましい。
【００１３】
本発明のカップ部を有する衣類について、例をあげて説明する。ただし、本発明は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１４】
（第１の実施形態）
図１に、本発明のカップ部を有する衣類の第１の実施形態に係るブラジャー１００を示す。図１（ａ）は、本実施形態のブラジャー１００の平面図であり、図１（ｂ）は、ブラジャー１００の着用側面図である。図１（ａ）および図１（ｂ）において、同一部分には同一符号を付している。平面図は、ブラジャーを平置きにしたときの模式図である。また、着用側面図は、人がブラジャーを着用した状態を横から見た模式図である。
【００１５】
本実施形態のブラジャー１００は、一対のカップ部１０１、一対のカップ部１０１を支持する土台部１０２、一対のバック部１０３および一対の肩ストラップ１０４（図１では図示せず）を備えたブラジャーである。カップ部１０１の下縁部から脇側縁部の範囲の外周には、土台部１０２が設けられ、土台部１０２によって、一対のカップ部１０１が連結されている。土台部１０２は、バストと胴体との境界線であるバージスラインに沿うように形成されており、本実施形態においては、カップ部１０１と土台部１０２との境界部（カップくり）には、くり保形材１０８としてワイヤーが設けられているワイヤータイプであるが、本発明はワイヤータイプに限定されず、ノンワイヤータイプのブラジャーにも適用することができる。カップくりには、剛直なワイヤー等を設けず変形可能なものであってもよく、例えば、布材を重ね合わせて形成してもよい。土台部１０２の脇側には、バック部１０３の前側端が取り付けられている。バック部１０３の後側端には、連結係止部（図示せず）が取り付けられて、背中心付近で着脱自在になっている。本発明のカップ部を有する衣類において、土台部１０２は、後述する保形部材１０５を有している。
【００１６】
土台部１０２下縁において一対のカップ部１０１の各々の最下点直下となる点Ａを通る直線を基準線Ｌとする。基準線Ｌは、着用時に水平となるラインに相当する。そして、土台部１０２の脇側端の下縁端を点Ｂとし、バック部１０３の後側端の下縁端との間の中点を点Ｃとする。また、カップ部１０１の脇側における土台部１０２の上端との境界点を点Ｄとする。このとき、本発明のカップ部を有する衣類は、点Ｂから点Ｃまでの間の領域において、バック部１０３の下縁端部が、基準線Ｌの下方１０ｍｍから２５ｍｍの範囲内となるように配置されていることが特徴である。
【００１７】
図２に、従来の一般的なブラジャー２００を示す。図２（ａ）は、従来の一般的なブラジャーの一例の平面図である。図２（ｂ）は、前記ブラジャーの着用側面図である。ブラジャー２００は、一対のカップ部２０１、一対のカップ部２０１を支持する土台部２０２、一対のバック部２０３および一対の肩ストラップ（図示せず）を備えたブラジャーである。カップ部２０１の下縁部から脇側縁部の範囲の外周には、土台部２０２が設けられ、土台部２０２によって、一対のカップ部２０１が連結されている。図１と図２とを対比すると、従来のブラジャー２００は、平置きの状態で、点Ａ、点Ｂ、点Ｃが水平であり、着用状態においても点Ａ、点Ｂ、点Ｃが水平であることがわかる。それに対して、本発明の第１の実施形態にかかるブラジャー１００は、平置きの状態で、脇部分が下側に張り出すように、基準線Ｌの下方１０ｍｍから２５ｍｍの範囲内となるように設計されており、点Ｂが点Ａと比べて下がった状態である。点Ｃも点Ｂと同様に、点Ａに比べて下がっている。ブラジャー１００では、点Ａより点Ｂおよび点Ｃが予め低い位置となるように設計されているので、着用すると、伸長されたバック部が元に戻ろうと胴回りの最短周径を通ろうとするように作用し、点Ｂが点Ａと水平になるように上方に押し上げられる。点Ｃは点Ｂと同様の範囲内の高さに設計されており、同様に上方に移動し、その結果、着用時には、点Ａ、点Ｂ、点Ｃが水平となる。このように、ブラジャー１００においては、着用することで、点Ｂが点Ａの高さまで、回転するように持ち上げられていることがわかる。結果として点Ｄの位置も前側に（バストを寄せる方向に）回転して押し上げられる。
【００１８】
着用時に、点Ｂが回転するように持ち上げられる力を、点Ｄに伝えて前側に、すなわち、バストを寄せる方向に力を働かせるためには、土台部１０２が保形部材１０５を有していることが必要である。保形部材は、形状保持性のある材料からなり、上記において、点Ｂが上方向に持ち上げられる際に、点Ｂと点Ｄとの間の領域で、よれる、曲がる、皺がよるなどの変形が起こりにくい部材である。土台部１０２が保形部材１０５を有していることで、点Ｄにバストを寄せる方向への力を付与することができる。
【００１９】
図３は、ブラジャー１００を着用した時の状態を説明する図である。平置き時には点Ｂおよび点Ｃは、点Ａに比べて下がった状態であるが、着用時には、点Ａ〜点Ｂ（〜点Ｃ）のラインが、点Ａを通る水平方向に移動するとともに、図中上向き矢印の方向に力が働く。土台部１０２に設けられた保形部材１０５は形状保持性があるため、土台部１０２は形状を保持したまま上方前側へ回転し、点Ｄ（カップ部１０１の脇側縁部）には、前側（図中白抜き矢印）に力が働く。通常、ブラジャーを着用した場合、カップ部はパッドや乳房自体の重量により外側へ広がろうとする力が働くが、ブラジャー１００を着用した場合、図中白抜き矢印の方向へ働く力によって、バストが外側に広がろうとする力を押さえて、バストの脇寄せ効果、造形効果を得ることができる。
【００２０】
なお、ブラジャーを平置きの状態で、脇部分が下側に張り出すように設計される際に、基準線Ｌの下方１０ｍｍから２５ｍｍの範囲を外れて、下方に大きく下がる状態とすると、次のような問題が生じる。例えば、点Ｂに比べて点Ｃが大きく下がると、着用時に移動量、変形量が大きくなるため、点Ｄを含む上辺は身体を緊縛する力がかからなくなり、安定性の著しい低下が起こる。このような構造とした場合、回転によりバストを寄せようとする力は働くものの、着崩れやすい構造となる。点Ｄを含む上辺において、身体を緊縛する力を維持して回転によるバストを寄せる力を働かせるうえで、基準線Ｌの下方１０ｍｍから２５ｍｍの範囲に、点Ｂから点Ｃの領域を存在させるとする条件は重要である。
【００２１】
土台部１０２において、保形部材１０５は、カップ部１０１の最下点の位置（点Ａに対応する位置）よりも脇側部分に設けられていることが好ましい。ここでの「最下点の位置」とは、厳密なものではなく、点Ａ付近の位置であってよい。とくに、カップ部１０１の最下点付近から脇側部分のみが保形部材１０５であると、カップ部１０１にバストを寄せる方向への力を効果的に伝えつつ、前中心付近の左右カップ部１０１同士の結合箇所においては、形状変化に追随性を与えることができ、好ましい。
【００２２】
本発明のカップ部を有する衣類には、土台部１０２の脇側（バック部１０３との境界部）に、可撓性を有するボーン部材１０６が上下方向に設けられていることも好ましい。土台部１０２の脇側にボーン１０６があると、脇部分における安定性を高めるとともに、押し上げ力（回転力）をロスなく効率よくカップ側に伝えることができる。カップ造形性をより良好にすることができる。また、保形部材の洗濯等に対する耐久性を向上させることができ、好ましい。
【００２３】
また、本発明のカップ部を有する衣類は、一対のカップ部１０１において、バストトップ点と下縁部との間の領域の少なくとも一部に、他の部分よりも厚くなっている造形領域１０７を有していることが好ましい。図４は、カップ部１０１の、図１のＸ−Ｘ´の位置における断面を示す図であり、図の右側を着用時の上側（図１のＸ側）、図の左側を着用時の下側（図１のＸ´側）となるようにして、カップ部１０１の下縁部および脇側縁部によって形成される面が基準面となるように置いた状態を示したものである。
【００２４】
図４（ａ）、図４（ｂ）、図４（ｃ）は、造形領域１０７を有する態様であり、図４（ｄ）は造形領域１０７を有していない態様である。図４（ａ）は、カップ部１０１に造形領域１０７が一体成型されている例である。図４（ｂ）は、カップ部のバストトップ点と下縁部との間の領域に、パッドを挿入して造形領域１０７を形成した例である。図４（ｃ）は、図４（ａ）と同様に、カップ部１０１に造形領域１０７が一体成型されている例であるが、造形領域１０７は、カップ部１０１の下縁部および脇側縁部によって形成される面から突出する厚みを有している。
【００２５】
造形領域１０７を有することで、土台部１０２、および、ワイヤー等のくり保形材１０８を設ける場合には土台部１０２およびくり保形材１０８の肌当たりを軽減させることができる。造形領域１０７を有すると、カップ部１０１の厚みが増されバストの上に乗るように着くので、カップくり保形材１０８を含む土台部１０２が、着用時に体幹から引き離される力が働くため、カップくりの着圧を減少させることができる。したがって、保形材１０８が身体に与える異物感を軽減することができ、つまり着け心地の良い着用感を実現することができる。
【００２６】
また、造形領域１０７は、カップの断面厚を増やすとともにカップ容量を小さくするので、上胸の谷間を作ることができる。着用時には、バストとカップ部１０１との間でお互いに押し合いが発生する。この時、土台部１０２の安定性が低ければバストがカップ部１０１を押す（ヌードに戻ろうとする）力が勝り、カップ部１０１が脇側に外方向に回転したり、ブラジャー全体が下に押し下げられ、着用位置が下がってしまう。この場合、カップ部１０１がバストを造形しようとする力が目減りした状態で力のバランスが取れることになる。しかし、本発明のカップ部を有する衣類では、土台部１０２が保形部材１０５を有していることでの安定性が高く、容易に変形が起こらない。したがって、着用時のカップくりの位置や形状を固定することができ、バストとカップ部１０１との押し合い時にカップ部１０１側の力が勝る。つまり、カップ部１０１がバストを造形しようとする力は目減りすることなく、意図通りにバストに伝えることができる。
【００２７】
本発明における保形部材１０５は、以下に示す評価方法によって、「形状保持性あり」と評価された材料である。図５は、本発明における保形部材の評価方法を説明する概略図である。一辺が７０ｍｍ（長辺）、他方が１０ｍｍ（短辺）の短冊状の試料３０１を用意する。図５（ａ）に示すように、金属板（ステンレス板）でできた試験台３０２の上に設置されたストッパー３０３に試料短辺の一方を突き当てる。このとき試料３０１は固定しない。試料の他方の短辺を、押しスライダー３０４に突き当て、押しスライダー３０４を、ストッパー３０３側に５ｍｍ押し込んだ際の試料の形状変化を、ｎ＝３で評価する。なお、評価は、温度２０±２℃、湿度６５±２％ＲＨの環境下で行った。
【００２８】
各試料について、図５（ｂ）に示すように、短辺の端点のみが金属板に接地して弧状となっている場合は「○」と評価する。一方、図５（ｃ）に示すように、短辺の端点以外の部分も金属板に接地した状態となった場合は「×」と評価する。３回の測定すべてが○となった試料については「形状保持性あり」と判定し、１回でも×となったものがある試料は「形状保持性なし」と判定する。
【００２９】
布目のある試料については、試料の方向は、候補材料についてタテ・ヨコ・バイアスの各方向、あるいは任意の方向で測定し、形状保持性があると評価された方向がブラジャーの上下方向となるように、保形部材のとして用いればよい。
【００３０】
試料として、不織布（硬）、不織布（中）、不織布（柔）、ダブルラッセル、ポリウレタンフォーム、パワーネットとマーキジットとを貼付した素材、マーキジットについて、形状保持性の評価を行った。これらは、いずれも、ブラジャーカップの裏打ち等で使用可能な素材である。なお、ポリウレタンフォームの硬度は、９．０±２．０ｋｇｆである。表１に、各素材について評価した結果を示す。
【表１】
2020169409.tif 000003
【００３１】
不織布（硬）、不織布（中）、ダブルラッセル、および、パワーネットとマーキジットとを貼付した素材については、「形状保持性あり」という結果となった。一方、不織布（柔）、ポリウレタンフォーム、マーキジットは、「形状保持性なし」という結果となった。本発明における保形部材としては、上記評価において「形状保持性あり」である素材を用いる。
【００３２】
本実施形態のブラジャーでは、連結係止部として、ホック（例えば、フック・アンド・アイ（鈎ホック））を使用することができるが、他の種類の係止具を使用してもよい。また、バック部１０３が連結係止部を有していなくてもよい。例えば、連結係止部を前中心に設けてフロントホックタイプとしてもよい。また、連結係止部がないタイプ、バック部を結んで係止するタイプであってもよい。連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００３３】
本実施形態においては、肩ストラップ１０４の一端はカップ部１０１に取り付けられ、肩ストラップ１０４の他端はバック部１０３の上辺部に取り付けられる。取付けの際には、例えば、円環の係止具とエイト環からなる長さ調節具とを導入して、肩ストラップ１０４の長さを調整可能とすることができる。カップ部１０１の形状やブラジャーのデザインによって決定することができる。肩ストラップ１０４は、カップ部１０１を肩から吊り下げるものであればよい。例えば、肩ストラップ１０４は、紐や布テープであってもよいし、タンクトップのような幅の広い、いわゆるラウンドタイプのストラップであってもよい。肩ストラップ１０４の態様は一対のカップ部１０１に対応して一対の肩ストラップ１０４をそれぞれカップ部１０１上部とバック部１０３に取り付ける態様に限定されず、例えば、スポーツタイプのブラジャーの肩ストラップのように、背中側で２本の肩ストラップ１０４が一体となりバック部１０３に取り付けられる態様であってもよい。
【００３４】
なお、本実施形態では、ブラジャー１００は、左右で一体となった土台部１０２を介して、左右のカップ部１０１連結されている例を挙げて説明した。しかし、本発明は、これに限定されるものではない。本発明は、例えば、左右に分離した土台部１０２を備えたタイプのブラジャーとしてもよい。また、本実施形態においては、土台部１０２に直接バック部１０３が取り付けられているが、これらの間に他の部材を設けてもよい。また、本発明は、フロントホックのブラジャーにも適用できる。フロントホックのブラジャーの場合には、本発明における「バック部の後側端の下端部」は、バック部の背中心部下縁端を指す。
【００３５】
以上、実施の形態の具体例として、ブラジャーをあげて本発明を説明したが、本発明のカップ部を有する衣類は、これらの具体例で記載されたもののみに限定されるものではなく、種々の態様が可能である。例えば、上記の実施形態以外にも、ブラキャミソール、ボディスーツ、ブラスリップ、セパレートタイプの水着のトップ部、レオタード、その他各種のカップ部を有する衣類に適用できる。
【産業上の利用可能性】
【００３６】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００３７】
１００、２００  ブラジャー
１０１、２０１  カップ部
１０２、２０２  土台部
１０３、２０３  バック部
１０４  肩ストラップ
１０５  保形部材
１０６  ボーン部材
１０７  造形領域
１０８  くり保形材
３０１  試料
３０２  試験台
３０３  ストッパー
３０４  押しスライダー
【図１】
2020169409.tif 000004
【図２】
2020169409.tif 000005
【図３】
2020169409.tif 000006
【図４】
2020169409.tif 000007
【図５】
2020169409.tif 000008